(57)【特許請求の範囲】
【請求項１】
少なくとも２部材を接合してなる筆記具において、前記２部材の接合端面を外面に対して斜面状に形成すると共に、それら相対する２部材の段部と端面の外面付近を接触させる一方、２部材の接合面の内方が非接触となるように前記段部と端面の角度を異ならしめたことを特徴とする筆記具。
【請求項２】
前記２部材のうち一方の部材の接合端面とその外面とのなす角度が鈍角に形成され、他方の部材の接合端面とその外面とのなす角度が鋭角に形成されてなるとともに、接合端面とその外面とのなす角度が鈍角に形成されてなる前記部材の外面高さが他方の部材の外面高さと面一もしくは外面高さよりも高い高さに形成されてなることを特徴とする請求項１に記載の筆記具。
【発明の詳細な説明】
【０００１】
【発明の属する技術分野】
本発明は、マーカー、サインペン、ボールペン、シャープペンシルなどの筆記具や化粧用の筆記具を構成する部材の接合の改良に関する。
【０００２】
【従来の技術】
筆記具は少なくも２部材以上で構成され、各部材は、圧入や接着、螺合などの方法により接合されているが、従来、それら各部材の接合部分の端面はそれぞれその外面に対して垂直な面に形成されているものであった。そして、相対する端面は必要に応じて、あるいは部材製作上の理由により、接触または非接触の状態で接合されているものであった（図８および図９参照。参照符号１０１、１０２が各部材の接合部分の端面であり参照符号１０３、１０４が接合部分の外面を表す、要部拡大図面である）。
【０００３】
【発明が解決しようとする課題】
前記のような筆記具は、一方の部材の外面高さが他方の部材の外面高さよりも高い高さに形成されている場合は、接合部分の外面に角部を生じることになり、筆記具を扱う際に角部が手指に当って違和感を生じることがあった。また、一方の部材の外面から他方の部材の外面に跨る連続した印刷を転写、シルク印刷、あるいはタンポ印刷により行う場合には、前記角部の影響により、印刷に大きな継ぎ目を生じることがあり、外観品質上の問題を生じることがあった。
【０００４】
【課題を解決するための手段】
本発明は、上記問題点を解決するためになされたものであり、少なくとも２部材を接合してなる筆記具において、前記２部材の接合端面を外面に対して斜面状に形成すると共に、それら相対する２部材の段部と端面の外面付近を接触させる一方、２部材の接合面の内方が非接触となるように前記段部と端面の角度を異ならしめたことを要旨とする。
【０００５】
【作用】
接合部分の外面に角部を生じることがなく、接合部分がなだらかに連続した面に形成される。
【０００６】
【実施例】
添付の図に基づき説明する。図１において、参照符号１はキャップであり、キャップ１の図示左方の開口端には頭冠２が圧入固定されている。頭冠２には図示右方に小径部が設けられ、この小径部が前記キャップ１の開口端に圧入固定されているのである。前記頭冠２の図示下方にはキャップ１に形成されたクリップ部１ａの図示左方端に連なるよう凸部２ａが形成されている。インキの色表示やボールペンのボール径や筆記線幅や、シャープペンシルの芯径などの印刷表示がなされる部分である。
【０００７】
前記キャップ１はペン先およびインキ収容部等を有する軸筒３に着脱自在に装着されているが、この軸筒３の図示左方には小径部が設けられ、小径部には筆記の際の把持部となるグリップ部材４が装着固定されている。また、軸筒３の図示右方開口端部には、尾軸部材５が圧入固定されている。前記各部材にはポリカーボネート、ポリエチレンテレフタレート、ポリブチレンテレフタレート、ポリスチレン、ＡＢＳ、アクリル、ポリエチレン、ポリプロピレン、ＰＣＴ樹脂などの成形用樹脂や、硬質・軟質のゴム部材や、アルミニウムなどの金属材料が用いられている。
【０００８】
図１におけるＡ部、Ｂ部、Ｃ部、Ｄ部の各部材の接合部分の端面および接合部分の外面を表す要部拡大図に基づき詳細に説明する。Ａ部拡大図である図２において、キャップ１の端面１ｂと頭冠２の段部２ｂはいずれも外面１ｃ、２ｃに対して斜面状に形成されている。そして、前記段部２ｂとその外面２ｃとのなす角度は鈍角に形成され、前記端面１ｂとその外面１ｃとのなす角度は鋭角に形成されている。更に、頭冠２の外面２ｃの高さがキャップ１の外面１ｃの高さよりも高い高さに形成されている。
【０００９】
Ｂ部拡大図である図３において、クリップ部１ａの段部１ｄと凸部２ｂの端面２ｄはいずれも外面１ｅ、２ｅに対して斜面状に形成されている。そして、前記段部１ｄとその外面１ｅとのなす角度は鈍角に形成され、前記端面２ｄとその外面２ｅとのなす角度は鋭角に形成されている。更に、クリップ部１ａの外面１ｅの高さが凸部２ｂの外面２ｅの高さよりも高い高さに形成されている。
【００１０】
Ｃ部拡大図である図４において、軸筒３の段部３ａとグリップ部材４の端面４ａはいずれも外面３ｂ、４ｂに対して斜面状に形成されている。そして、前記段部３ａとその外面３ｂとのなす角度は鈍角に形成され、前記端面４ａとその外面４ｂとのなす角度は鋭角に形成されている。更に、軸筒３の外面３ｂの高さがグリップ部材４の外面４ｂの高さよりも高い高さに形成されている。
【００１１】
Ｄ部拡大図である図５において、尾軸部材５の段部５ａと軸筒３の端面３ｃはいずれも外面５ｂ、３ｄに対して斜面状に形成されている。そして、前記段部５ａとその外面５ｂとのなす角度は鈍角に形成され、前記端面３ｃとその外面３ｄとのなす角度は鋭角に形成されている。更に、尾軸部材５の外面５ｂの高さが軸筒３の外面３ｄの高さよりも高い高さに形成されている。
【００１２】
前記各例によれば、一方の部材の外面から他方の部材の外面に跨る連続した転写印刷、シルク印刷、あるいはタンポ印刷をも容易に行うことができる。尚、前記各例において、各要部拡大図における外面２ｃ、１ｅ、３ｂ、５ｂの高さは隣接する他方部材の外面１ｃ、２ｅ、４ｂ、３ｄの面高さと面一の高さであってもよい。面一乃至は外面１ｃ、２ｅ、４ｂ、３ｄよりも僅かに高い高さに形成されれば他方部材に接合されてより好ましいものである。
【００１３】
また、相対する段部と端面は必要に応じて、あるいは部材製作上の理由により、接触、または、図６、図７に示すように非接触の状態で接合されてよい。更にまた、相対する両部材の段部と端面の外面付近を接触させ、両部材の接合面の内方が非接触となるように前記段部と端面の角度を設定している。更に良好な接合状態となすことができる。尚、各例において外面と端面のなす鋭角部の先端は微小Ｒであってもよい。
【００１４】
【発明の効果】
本発明の筆記具は、少なくとも２部材を接合してなる筆記具において、前記２部材の接合端面を外面に対して斜面状に形成すると共に、それら相対する２部材の段部と端面の外面付近を接触させる一方、２部材の接合面の内方が非接触となるように前記段部と端面の角度を異ならしめたので、筆記具を扱う際に角部が手指に当って違和感を生じることもなく、また、一方の部材の外面から他方の部材の外面に跨る連続した印刷を行った場合でも印刷の大きな継ぎ目を生じることがない。
【図面の簡単な説明】
【図１】  本発明の筆記具を示す縦断面図。
【図２】  図１のＡ部拡大図。
【図３】  図１のＢ部拡大図。
【図４】  図１のＣ部拡大図。
【図５】  図１のＤ部拡大図。
【図６】  変形例を示す部分拡大図。
【図７】  変形例を示す部分拡大図。
【図８】  従来例を示す部分拡大図。
【図９】  従来例を示す部分拡大図。
【符号の説明】
１    キャップ
１ａ  クリップ部
１ｂ  端面
１ｃ  外面
１ｄ  段部
１ｅ  外面
２    頭冠
２ａ  凸部
２ｂ  段部
２ｃ  外面
２ｄ  端面
２ｅ  外面
３    軸筒
３ａ  段部
３ｂ  外面
３ｃ  端面
３ｄ  外面
４    グリップ部材
４ａ  端面
４ｂ  外面
５    尾軸部材
５ａ  段部
５ｂ  外面
【図１】
0003896869.tif 000002
【図２】
0003896869.tif 000003
【図３】
0003896869.tif 000004
【図４】
0003896869.tif 000005
【図５】
0003896869.tif 000006
【図６】
0003896869.tif 000007
【図７】
0003896869.tif 000008
【図８】
0003896869.tif 000009
【図９】
0003896869.tif 000010